(57)【要約】【課題】部材材料に影響されず、小スペースで容易に部材を固定可能な部材固定機構を提供する。【解決手段】時計における文字板１０の固定機構は、文字板ピン１１を有する文字板１０と、文字板ピン１１を挿通孔４２有する地板４１と、ねじ５４により地板４１に固定可能な巻真保持部５０の第一基板５１と、軸部６１およびこの軸部６１の一端部に連結される頭部６２を備え、頭部６２の中心位置から径方向に所定寸法離れた偏心位置に軸部６１が連結されるとともに、軸部６１が地板４１に回動可能に保持される偏心ピン６と、を具備した。そして、偏心ピン６は、頭部６２により文字板ピン１１を挿通孔４２に押圧して文字板１０を地板４１に固定する第一部材固定位置と、頭部６２により第一基板５１を保持する第二部材保持位置との間で回動可能に設けられた。【選択図】図３
2009264761.tif 000002
【特許請求の範囲】
【請求項１】
固定部を有する第一部材と、
前記固定部を係止する係止部を備えたベース部材と、
固定部材により前記ベース部材に固定可能な第二部材と、
軸部およびこの軸部の一端部に連結される頭部を備え、前記頭部の中心位置から径方向に所定寸法離れた偏心位置に前記軸部が連結されるとともに、前記軸部が前記ベース部材に回動可能に保持される偏心ピンと、を具備し、
前記偏心ピンは、少なくとも、前記頭部により前記固定部を前記係止部に押圧して前記第一部材を前記ベース部材に固定する第一部材固定位置と、前記頭部により前記第二部材を保持する第二部材保持位置との間で回動可能に設けられる
ことを特徴とした部材固定機構。
【請求項２】
請求項１に記載の部材固定機構であって、
前記第一部材は、棒状の前記固定部が立設される文字板であり、
前記ベース部材の前記係止部は、前記固定部が挿通される挿通孔であり、
前記偏心ピンは、前記固定部が前記挿通孔に挿通された状態で、前記固定部を前記挿通孔の内周面に向かって押圧して固定する
ことを特徴とした部材固定機構。
【請求項３】
請求項２に記載の部材固定機構であって、
前記偏心ピンは、前記固定部に比べて剛性の強い素材にて形成されるとともに、前記固定部の押圧箇所を変形させた状態で前記固定部を固定する
ことを特徴とした部材固定機構。
【発明の詳細な説明】
【技術分野】
【０００１】
本発明は、時計部材を固定する部材固定機構に関する。
【背景技術】
【０００２】
従来、時計部材の固定構造として、熱かしめによる固定構造や偏心ピンによる固定構造が知られている（例えば、特許文献１、２参照）。
【０００３】
この特許文献１に記載のものは、樹脂ケースから突出する棒状部を配線金属板の貫通孔に貫通させ、棒状部を熱により変形させて、熱かしめにより棒状部の先端部に配線金属板を固定する構成が採られている。
【０００４】
また、特許文献２に記載のものは、時計における文字板の文字板足の近傍に地板に回動可能に設けられる偏心ピンを備えている。そして、偏心ピンを回動させて文字板足に押し込むことで文字板を地板に固定する構成が採られている。
【０００５】
【特許文献１】特開２００７−１５８１２６号公報
【特許文献２】実開昭５３−２００６７号公報
【発明の開示】
【発明が解決しようとする課題】
【０００６】
ところで、特許文献１に記載のような熱かしめによる固定構造では、例えばプラスチックなどの熱かしめが可能な材料が必要となり、金属部材のような熱変形が困難な素材に対しては実施が困難であるという問題がある。
また、時計を構成する構成部材が多いと、組立時に仮固定が必要な場合がある。特許文献２のような偏心ピンを用いた固定構造や、ねじ止めによる固定構造では、このような仮固定のための仮ねじ締めを実施するために、仮ねじなどの部材が別途必要になり、仮ねじ締めを実施するスペースも別途必要となるという問題がある。
【０００７】
本発明は、上記のような問題に鑑みて、部材材料に影響されず、小スペースで容易に部材を固定可能な部材固定機構を提供することを目的とする。
【課題を解決するための手段】
【０００８】
本発明の部材固定機構は、固定部を有する第一部材と、前記固定部を係止する係止部を備えたベース部材と、固定部材により前記ベース部材に固定可能な第二部材と、軸部およびこの軸部の一端部に連結される頭部を備え、前記頭部の中心位置から径方向に所定寸法離れた偏心位置に前記軸部が連結されるとともに、前記軸部が前記ベース部材に回動可能に保持される偏心ピンと、を具備し、前記偏心ピンは、少なくとも、前記頭部により前記固定部を前記係止部に押圧して前記第一部材を前記ベース部材に固定する第一部材固定位置と、前記頭部により前記第二部材を保持する第二部材保持位置との間で回動可能に設けられることを特徴とする。
【０００９】
この発明によれば、偏心ピンを回動させることで、頭部を第一部材固定位置および第二部材保持位置に移動させることができる。したがって、偏心ピンの頭部を第二部材保持位置に回動させた際には、第二部材を保持してベース部材に位置決めすることができる。よって、第二部材を固定部材によりベース部材に取り付ける際に、仮ねじ締めなどの作業が不要となり、仮ねじなどの部材が不要となる分、部品点数の削減、部材固定機構の配置スペースの削減が可能となる。また、第二部材をベース部材に固定した後は、偏心ピンの頭部を第一部材固定位置に回動させることで、頭部で第一部材の固定部をベース部の係止部に押圧することで、第一部材をベース部材に押さえつけて固定することができる。したがって、第一部材やベース部材の部材材料と関係なく、簡単な構成で第一部材をベース部材に固定することができる。
以上により、１つの偏心ピンにより、第一部材の固定と第二部材の仮固定の双方を、部材材料に関係なく、簡単な構成で実施することができ、部品点数の削減、部材固定機構の配置スペースの削減を図ることができる。
【００１０】
また、本発明の部材固定機構では、前記第一部材は、棒状の前記固定部が立設される文字板であり、前記ベース部材の前記係止部は、前記固定部が挿通される挿通孔であり、前記偏心ピンは、前記固定部が前記挿通孔に挿通された状態で、前記固定部を前記挿通孔の内周面に向かって押圧して固定することが好ましい。
この発明では、第一部材は、棒状の固定部を備えた時計部品の一部を構成する文字板であり、ベース部材に設けられる挿通孔に固定部を挿通させて偏心ピンの頭部でこの固定部を押し込むことにより、固定部が挿通孔の内壁に押圧されて固定される。これにより、偏心ピンにより、文字板の固定が実施できるとともに、文字板近傍に配置される第二部材の仮固定を実施することができる。特に、腕時計のように限られた内部スペースで第二部材を含む多数の構成部品を固定する場合では、狭い領域内で各部材の仮固定を実施して位置ずれを防止した上でこれらの部材を固定する必要がある。このような場合でも、上記のような偏心ピンを用いることで、文字板の固定と第二部材の位置決めとを同時に実施することができるため、省スペース化および部品点数の削減に貢献でき、また偏心ピンを回動させるだけの構成であるため、文字板の固定や第二部材の仮固定も容易に実施できる。
【００１１】
さらに、本発明の部材固定機構では、前記偏心ピンは、前記固定部に比べて剛性の強い素材にて形成されるとともに、前記固定部の押圧箇所を変形させた状態で前記固定部を固定することが好ましい。
この発明によれば、偏心ピンの頭部を固定部に押し込んで、凹ませた状態で押圧する。これにより、偏心ピンの頭部が固定部に密着することになり、例えば偏心ピンと固定部との間の隙間によるガタの発生や、偏心ピンの変形などの不都合がなく、より確実に文字板をベース部材に固定することができる。また、偏心ピンおよび固定部が同一の剛性の素材にて形成される場合では、文字板の固定時に非常に強い押圧力で偏心ピンにより固定部を押圧する必要があり、作業が困難となるが、固定部を変形させる構成であるため容易に偏心ピンを回動させることができ、文字板固定作業の効率を向上させることができる。
また、偏心ピンの頭部が例えば円盤状に形成されている場合では、固定部の変形箇所も偏心ピンの頭部の周面に沿う凹状の円弧形状となる。この場合では、この変形箇所の全体が偏心ピンの頭部の周面と密着し、偏心ピンの頭部が変形箇所の凹部に係合される状態となる。したがって、衝撃などが加わり、偏心ピンに回転方向にモーメントが加わった場合でも、偏心ピンの頭部が固定部から抜けず、文字板の固定を維持することができる。
【発明を実施するための最良の形態】
【００１２】
以下、本発明に係る一実施の形態について、図面に基づいて説明する。
図１は、本発明の一実施の形態に係る時計の正面図である。図２は、前記実施の形態の時計において文字板の固定位置の近傍を拡大した図である。図３は、図２における時計の厚み方向を断面した断面図である。図４は、地板に保持される偏心ピンの概略構成を示す図であり、（Ａ）は、正面図、（Ｂ）は、側面図である。図５は、図２において偏心ピンを、巻真保持部を仮固定する位置に回動させた状態を示す図である。図６は、図５における時計の厚み方向を断面した断面図である。
【００１３】
図１において、１は、時計であり、この時計１は、指針２および第一部材としての文字板１０を備えた指針式時計（アナログ時計）である。なお、本実施の形態では、図示しない駆動力により指針２を駆動させる指針式時計を例示するが、例えば文字板に設けられる所定の表示孔から例えば液晶などのディスプレイにより時刻を表示させるデジタル時計などであってもよい。
【００１４】
そして、この時計１は、ケース３と、ケース３の内部に収納されるとともに、指針２を駆動させる指針駆動機構を備えたムーブメント４とを備えている。ムーブメント４には、図２および図３に示すように、各種時計構成部材を固定するベース部材としての地板４１を備えている。
また、時計１における文字板１０の３時方向には、リューズ５がケース３の内外を貫通して設けられ、ムーブメント４の巻真保持部５０に回転可能に保持されている。
【００１５】
〔文字板の固定構造〕
以下、本発明の部材固定機構である時計１における文字板１０の固定機構を説明する。
図２に示すように、文字板１０は、略板状に形成され、地板４１側に立設される固定部としての文字板ピン１１を備えている。この文字板ピン１１は、例えばアルミなどの金属により形成されている。この文字板ピン１１は、文字板１０の外周縁近傍で、図示しない裏蓋側に突出する状態に複数形成されている。なお、図２および図３において、リューズ５を保持する巻真保持部５０の近傍に文字板ピン１１が設けられる構成を示す。そして、この文字板ピン１１は、地板４１の厚み寸法よりも長い寸法に形成され、地板４１に設けられる係止部としての挿通孔４２を貫通し、先端部が図示しない裏蓋側に貫通する状態に配置されている。
なお、文字板１０および文字板ピン１１は、別体として設けられ、例えば溶接などにより固定される構成としてもよく、一体形成される構成としてもよい。
【００１６】
地板４１は、上述したように、文字板ピン１１が貫通可能な挿通孔４２が形成されている。
また、地板４１には、リューズ５を保持する巻真保持部５０が設けられている。この巻真保持部５０は、複数の略板状の基板（第二部材としての第一基板５１、第二基板５２、第三基板５３）により形成され、これらの基板５１，５２，５３は、１つの固定部材としてのねじ５４により地板４１に固定されている。
具体的には、地板４１には、ねじピンを挿通可能なねじピン挿通孔４４が形成され、各基板５１，５２，５３には、ねじピン挿通孔４４に対向する位置にそれぞれ固定孔５１Ａ，５２Ａ，５３Ａが形成されている。そして、地板４１のねじピン挿通孔４４には、文字板１０側から裏蓋側に、ねじピン５５が貫通され、このねじピン５５の裏蓋側の先端部は、地板４１の裏蓋側の面から突出し、前記各基板５１，５２，５３の固定孔５１Ａ，５２Ａ，５３Ａに挿通されている。また、このねじピン５５の裏蓋側の先端部には、ねじ５４を螺合可能な雌ねじ５５１が形成され、この雌ねじ５５１にねじ５４が螺合されることで、各基板５１，５２，５３が地板４１に固定されている。
【００１７】
そして、地板４１の文字板ピン１１が挿通される挿通孔４２、および巻真保持部５０の間には、図３に示すように、偏心ピン挿通孔４３が設けられ、この偏心ピン挿通孔４３に偏心ピン６が回動可能に保持されている。この偏心ピン６は、図４に示すように、偏心ピン挿通孔４３に回動可能に保持される軸部６１と、軸部６１の先端部に連結される頭部６２とを備えている。
【００１８】
頭部６２は、図４に示すように、軸部６１側の突出部６２１と、突出部６２１の上面に連続形成される操作部６２２と、を備える略円盤状に形成されている。また、この頭部６２は、例えばチタン、ステンレスなど、文字板ピン１１の形成素材よりも剛性の大きい素材が選択される。
突出部６２１は、図４（Ｂ）に示すように、断面において軸部６１側が長辺、操作部６２２側が短辺となる略台形状に形成されている。これにより、突出部６２１の軸部６１側の外周面が径外方向に突出するテーパ状に形成されている。また、突出部６２１の外周面のテーパ先端部には、軸部６１の軸方向と平行する当接面６２３が形成されている。この当接面６２３により、頭部６２が文字板１０の文字板ピン１１を押圧する際に、当接面積が大きくなり、安定した文字板ピン１１の固定が可能となる。
【００１９】
そして、軸部６１は、頭部６２の円盤中心点Ｏから所定の偏心量αだけずれた連結位置Ｐに連結されている。これにより、軸部６１が回動することで、円盤中心点Ｏに対して連結位置Ｐとは反対側となる係合部６３が軸部６１を軸心として回動し、文字板１０の文字板ピン１１および巻真保持部５０の第一基板５１に接触可能となる。
【００２０】
操作部６２２は、図４（Ａ）に示すように、上面側に操作凹部６２２Ａが形成されている。この操作凹部６２２Ａには、例えばドライバなどが差込み可能に設けられている。そして、ドライバを操作凹部６２２Ａに差し込んだ状態で回転させることで偏心ピン６を所定方向に回転させることが可能となる。なお、図４において、操作凹部６２２Ａとしてマイナスドライバにより操作可能なマイナス型の凹部を例示するが、例えばプラスドライバに対応したプラス型の凹部や、その他の専用の操作治具により操作可能な形状に構成されていてもよい。
【００２１】
ここで、時計１の組立時における巻真保持部５０および文字板１０の固定方法について説明する。
時計１において、ねじ５４により巻真保持部５０を地板４１に固定する際には、図５または図６に示すように、偏心ピン６の係合部６３を巻真保持部５０側に回動させ、第一基板５１に設けられる位置決め凹部５１１に係合される（第二部材保持位置）。この時、巻真保持部５０の地板４１から最も離れた位置に配置される第一基板５１が位置決めされる。この状態では、地板４１から突出するねじピン５５により、各基板５１，５２，５３の各固定孔５１Ａ，５２Ａ，５３Ａが同軸上に揃えられるため、水平方向（文字板１０の面方向と平行な方向）の移動が規制されている。また、偏心ピン６の係合部６３が第一基板５１に係合されることで、第一基板５１の厚み方向に対する移動も規制される。これにより、巻真保持部５０の各基板５１，５２，５３が、水平方向および厚み方向への移動を規制されることになり、地板４１に対して仮固定される。そして、この仮固定状態で、ねじピン５５にねじ５４を螺合させることで、各基板５１，５２，５３の位置がずれることなく、地板４１の適切な配置位置に巻真保持部５０を固定することが可能となる。
【００２２】
一方、巻真保持部５０が固定された後、文字板１０を固定する際には、図２または図３に示すように、偏心ピン６の係合部６３を文字板ピン１１側に回動させる（第一部材固定位置）。これにより、係合部６３により文字板ピン１１が挿通孔４２の内壁に押圧され、文字板１０が固定される。
この時、偏心ピン６は、突出部６２１の当接面６２３により文字板ピン１１の周面を押し込むことで、文字板ピン１１の周面が突出部６２１の形状に対応した凹状に変形する。これにより、文字板ピン１１を固定する固定力が大きくなる。また、文字板ピン１１が押し込まれて変形形成された凹部に、円盤状の突出部６２１が係合される状態となり、この凹部全体に亘って突出部６２１が当接する。このため、例えば文字板ピン１１を当接面の一点で押圧する場合に比べて、文字板１０を安定して固定することが可能となり、衝撃などによる偏心ピン６の回動も防止可能となる。
【００２３】
〔文字板の固定構造の作用効果〕
上述したように、上記実施の形態の時計１では、文字板ピン１１および巻真保持部５０の間に偏心ピン６が配置されている。そして、時計１の組立時において、巻真保持部５０を固定する際に、偏心ピン６を回動させて頭部６２の係合部６３を第一基板５１の位置決め凹部５１１に係合させることで第一基板５１が仮固定される。また、巻真保持部５０が固定された後、偏心ピン６を回動させて頭部６２の係合部６３で文字板ピン１１を押圧することで文字板１０が地板４１に固定される。
このため、単一の偏心ピン６により、巻真保持部５０の仮固定と、文字板１０の固定との双方を実施することができる。したがって、巻真保持部５０の固定時に、仮固定のための別部材を用意することなく、また、仮固定のためのスペースも不要となる。よって、部品点数を削減できるとともに、時計１を構成する部材の配置スペースが圧迫されることがなく、時計１の小型化をも図れる。さらに、巻真保持部５０を固定した後、偏心ピン６を回動させて文字板ピン１１を押圧するだけで、文字板１０や地板４１の素材によらず、文字板１０の固定を容易に実施することができる。
【００２４】
また、偏心ピン６は、文字板ピン１１を押圧するとともに、文字板ピン１１を変形させて挿通孔４２の内周面に押圧し、文字板１０を固定する。
このため、文字板１０の固定力を十分に高めることができ、また、文字板ピン１１と偏心ピン６の係合部６３との接触面積も大きくなるため、より安定した文字板１０の固定ができる。さらに、文字板ピン１１の周面が偏心ピン６の係合部６３に押圧されることで凹状に変形し、この凹状変形した位置に係合部６３が係合される状態となる。これにより文字板１０の固定力を安定させることができ、衝撃などが加わった際でも偏心ピン６が回動して文字板１０の固定が解除されるなどの不都合を防止することができる。
【００２５】
また、偏心ピン６の突出部６２１は、操作部６２２側から軸部６１側に向かうに従って、内径側から外径側に傾斜するテーパ状に形成されている。このため、偏心ピン６の係合部６３で偏心ピン６を押圧する際に、テーパ先端部で文字板ピン１１を押圧することで、例えば、突出部６２１の外周面がテーパ状に形成されず、円柱状に形成される構成に比べて、文字板ピン１１への押圧力が増大し、容易に文字板ピン１１を変形させることができる。したがって、容易に偏心ピン６により文字板１０を固定することができ、固定作業の効率を向上させることができる。
【００２６】
さらに、突出部６２１のテーパ先端部には、軸部６１の軸方向と平行となる当接面６２３が形成されている。このため、文字板ピン１１を押圧する際に、この当接面６２３で文字板ピン１１周面を押圧でき、偏心ピン６の頭部６２の破損を防止できる。すなわち、テーパ先端部に当接面６２３が形成されない場合、頭部６２が文字板ピン１１に当接する際、テーパ先端部の一点のみが文字板ピン１１の周面に当接する。この状態で、偏心ピン６を回動させると、テーパ先端部に過度の応力が加わるため、テーパ先端部が変形したり破損したりするおそれがあり、この場合、文字板ピン１１と頭部６２の係合部６３との間に隙間が生じ、ガタツキなどの原因となる場合がある。これに対して、上記構成により、テーパ先端部の破損が防止され、文字板ピン１１と係合部６３とを密着させることができ、安定した固定力を得ることができる。
【００２７】
［他の実施の形態］
なお、本発明は前述の実施形態に限定されるものではなく、本発明の目的を達成できる範囲での変形、改良などは本発明に含まれるものである。
【００２８】
例えば、上記実施の形態において、偏心ピン６により、第二部材としての巻真保持部５０の第一基板５１を仮固定する構成を示したがこれに限定されない。例えば、第二部材として、時計１の回路基板など、時計１を構成するその他の構成部品を仮固定する構成としてもよい。また、偏心ピン６の回動位置により、巻真保持部５０のみでなく、その他の時計部品をも仮固定可能な構成としてもよい。
同様に、偏心ピン６により第一部材として文字板１０を、ベース部材である地板４１に固定する構成を例示したが、これに限定されない。例えば、ベース部材としてのケース３に第一部材としての裏蓋を固定する偏心ピンであり、回動位置によりムーブメントを仮固定することが可能な構成などとしてもよい。
【００２９】
また、偏心ピン６の突出部６２１の外周面がテーパ状に形成される例を示したが、例えば円柱状に形成される構成などとしてもよい。
さらに、テーパ先端部に面状の当接面６２３が設けられず、テーパ先端部により文字板ピン１１を押圧する構成としてもよい。この場合、文字板ピン１１に対して、偏心ピン６を十分に剛性が高い素材にて形成することで、破損を防止することができる。
【００３０】
さらに、偏心ピン６の係合部６３を第一基板５１に設けられる位置決め凹部５１１に係合させることで、巻真保持部５０の仮固定を実施したが、これに限定されない。例えば、文字板１０の固定と同様に、偏心ピン６により第一基板５１の一部を押圧して固定する構成としてもよい。
【００３１】
その他、本発明の実施の際の具体的な構造および手順は、本発明の目的を達成できる範囲で他の構造などに適宜変更できる。
【図面の簡単な説明】
【００３２】
【図１】本発明の一実施の形態に係る時計の正面図である。
【図２】前記実施の形態の時計において文字板の固定位置の近傍を拡大した図である。
【図３】図２における時計の厚み方向を断面した断面図である。
【図４】地板に保持される偏心ピンの概略構成を示す図であり、（Ａ）は、正面図、（Ｂ）は、側面図である。
【図５】図２において偏心ピンを、巻真保持部を仮固定する位置に回動させた状態を示す図である。
【図６】図５における時計の厚み方向を断面した断面図である。
【符号の説明】
【００３３】
６…偏心ピン、１０…第一部材としての文字板、１１…固定部としての文字板ピン、４１…ベース部材としての地板、４２…係止部としての挿通孔、５１…第二部材としての第一基板、６１…軸部、６２…頭部。
【図１】
2009264761.tif 000003
【図２】
2009264761.tif 000004
【図３】
2009264761.tif 000005
【図４】
2009264761.tif 000006
【図５】
2009264761.tif 000007
【図６】
2009264761.tif 000008